(57)【要約】【課題】  撮像装置の使用条件に応じて適切に手振れ補正を行なうことが可能な撮像装置を提供する。【解決手段】  撮像装置５０は、被写体を撮像する撮像装置であって、被写体からの光を結像して電気信号に変換する撮像部２０と、撮像装置５０の振れを検出する角加速度センサ６，７と、撮像装置５０の複数の使用条件に対応する補正データをそれぞれ記憶するメモリ９と、撮像装置５０の現在の使用条件を検出する検出部１３と、検出した使用条件に対応する補正データを選択し、選択した補正データに基づいて撮像部２０を駆動することにより振れの補正を行なう手振れ補正処理部８とを備える。【選択図】        図１
2007043561.tif 000002
【特許請求の範囲】
【請求項１】
被写体を撮像する撮像装置であって、
前記被写体からの光を結像して電気信号に変換する撮像部と、
前記撮像装置の振れを検出する角加速度センサと、
前記撮像装置の複数の使用条件に対応する補正データをそれぞれ記憶する記憶部と、
前記撮像装置の現在の使用条件を検出する検出部と、
前記検出した使用条件に対応する前記補正データを選択し、前記選択した補正データに基づいて前記撮像部を駆動することにより前記振れの補正を行なう補正処理部とを備える撮像装置。
【請求項２】
前記記憶部は、ユーザの利き手に対応する補正データをそれぞれ記憶し、
前記検出部は、前記撮像装置を使用するユーザの利き手を検出し、
前記補正処理部は、前記検出したユーザの利き手に対応する前記補正データを選択し、前記選択した補正データに基づいて前記撮像部を駆動することにより前記振れの補正を行なう請求項１記載の撮像装置。
【発明の詳細な説明】
【技術分野】
【０００１】
本発明は、撮像装置に関し、特に、撮像装置の振れを補正する撮像装置に関する。
【背景技術】
【０００２】
近年、銀塩式カメラに加えて、デジタルスチルカメラおよびカメラ付携帯電話等が広く普及し、写真撮影をするユーザが増加している。
【０００３】
特にデジタルスチルカメラおよびカメラ付携帯電話では、撮影データを保存する記録媒体として銀塩式カメラのフィルムを格納するパトローネに比べて小型かつ薄型である半導体メモリを使用しているため、銀塩式カメラと比べてカメラ本体が軽量化かつ小型化されている。また、デジタルスチルカメラおよびカメラ付携帯電話でも、光学レンズの改良によりズームレンズが搭載されるようになってきている。
【０００４】
ここで、軽量化かつ小型化されたデジタルスチルカメラにおいて、ズームレンズを用いて望遠撮影すると、手振れによる撮影画質の低下が大きい。このため、手振れ補正機能が搭載されたデジタルスチルカメラの製品化が進んでいる。
【０００５】
たとえば、特許文献１には以下のような撮像装置が開示されている。すなわち、被写体からの光を光学的に結像させる結像手段と、結像手段により得られる光学像を電気的情報もしくは物理化学的情報に変換して撮影画像として出力もしくは記録する撮像手段とを含む撮影装置であって、撮影装置の揺動を検出し、揺動検出信号を出力する揺動検出手段と、揺動検出信号を受けて画像揺動制御信号を出力する画像揺動抑制信号発生手段と、画像揺動制御信号を受けて、撮影装置の揺動による撮影画像の揺動を抑制するにように構成された画像揺動抑制手段とを備える。
【０００６】
ここで、デジタルスチルカメラにおける手振れ補正には、特許文献１記載の撮像装置のように、カメラ内に手振れ量を検出する角加速度センサを設け、角加速度センサ出力に基づいて、レンズから撮像面に至るまでの光学系に配置した補正用のレンズを駆動させる方式、あるいはＣＣＤ（固体撮像素子、charge coupled device）等の撮像素子を駆動させる方式がある。
【０００７】
一般的に、これらの手振れ補正方式では、実際にカメラを使用した際のカメラの振れ量について統計をとり、この統計に基づいた補正処理が行なわれる。
【特許文献１】特開昭６０−１４３３３０号公報
【発明の開示】
【発明が解決しようとする課題】
【０００８】
ところで、銀塩方式およびデジタル方式を問わず、製品化されているカメラはシャッターボタンを右手で操作できるように配置されているのが一般的である。このため、右利きの撮影者が撮影した場合と左利きの撮影者が撮影した場合とではカメラの手振れ量が異なり、特に左利きの撮影者が撮影した場合にはカメラを支える力が弱くなって手振れ量が大きくなる。したがって、特許文献１記載の撮像装置を使用したとしても、右利きの撮影者が撮影した場合および左利きの撮影者が撮影した場合の両方で正常に撮影を行なうことは困難である。すなわち、特許文献１記載の撮像装置では、撮像装置の使用条件に応じて適切に手振れ補正を行なうことができないという問題点があった。
【０００９】
それゆえに、本発明の目的は、撮像装置の使用条件に応じて適切に手振れ補正を行なうことが可能な撮像装置を提供することである。
【課題を解決するための手段】
【００１０】
上記課題を解決するために、この発明のある局面に係わる撮像装置は、被写体を撮像する撮像装置であって、被写体からの光を結像して電気信号に変換する撮像部と、撮像装置の振れを検出する角加速度センサと、撮像装置の複数の使用条件に対応する補正データをそれぞれ記憶する記憶部と、撮像装置の現在の使用条件を検出する検出部と、検出した使用条件に対応する補正データを選択し、選択した補正データに基づいて撮像部を駆動することにより振れの補正を行なう補正処理部とを備える。
【００１１】
好ましくは、記憶部は、ユーザの利き手に対応する補正データをそれぞれ記憶し、検出部は、撮像装置を使用するユーザの利き手を検出し、補正処理部は、検出したユーザの利き手に対応する補正データを選択し、選択した補正データに基づいて撮像部を駆動することにより振れの補正を行なう。
【発明の効果】
【００１２】
本発明によれば、撮像装置の使用条件に応じて適切に手振れ補正を行なうことができる。
【発明を実施するための最良の形態】
【００１３】
以下、本発明の実施の形態について図面を用いて説明する。
［構成および基本動作］
図１は、本発明の実施の形態に係る撮像装置の構成を示す機能ブロック図である。
【００１４】
同図を参照して、撮像装置５０は、撮像部２０と、撮像制御部５と、角加速度センサ（縦方向）６と、角加速度センサ（横方向）７と、手振れ補正処理部８と、メモリ（記憶部）９〜１０と、インタフェース（Ｉ／Ｆ）部１１と、表示部１２と、検出部１３とを備える。撮像部２０は、撮像レンズ１と、手振れ補正用レンズ２と、シャッター３と、撮像素子４とを含む。
【００１５】
撮像部２０は、被写体からの光を結像して電気信号に変換する。より詳細には、撮像レンズ１は、被写体からの光を撮像素子４に結像する。手振れ補正用レンズ２は、手振れ補正処理部８の制御に基づいて駆動され、撮像レンズ１からの光の光軸を変化させる。シャッター３は、撮像制御部５の制御に基づいて開閉し、撮像素子４へ照射される光を遮光するか否かを切り替える。撮像素子４は、たとえばＣＣＤであり、撮像レンズ１によって結像された被写体からの光を電気信号に変換する。
【００１６】
撮像制御部５は、シャッター３および手振れ補正処理部８等を制御して、被写体の撮像を行なう。また、撮像制御部５は、撮像素子４から受けた電気信号から画像データを生成し、メモリ１０に保存する。メモリ１０に保存された画像データは、ＰＣ（パーソナルコンピュータ）からの指令によってＩ／Ｆ部１１経由でＰＣへ送信される。また、撮像制御部５は、撮影前または撮影後において、撮像素子４の初期化、すなわち撮像素子４に蓄積されている電気信号の放電を行なう。
【００１７】
角加速度センサ（縦方向）６および角加速度センサ（横方向）７は、手振れ等による撮像装置５０の縦方向および横方向の振れの大きさをそれぞれ検出し、検出した振れの大きさを表わす振れ信号をそれぞれ手振れ補正処理部８へ出力する。これらのセンサには、たとえばジャイロ式のセンサが用いられる。
【００１８】
メモリ９は、右利きの撮影者が撮影した場合および左利きの撮影者が撮影した場合における撮像装置５０の振れの大きさおよび方向を表わす補正データを記憶する。なお、メモリ９が記憶する補正データは、利き手に対応する補正データに限定されるものではなく、撮像装置５０の使用条件に対応する補正データであればどんなものでもよい。たとえば、撮影の際の手振れ量は、撮影者の身長によっても異なる場合があるため、メモリ９は、撮影者の身長に対応する補正データを記憶してもよい。
【００１９】
手振れ補正処理部８は、検出部１３からのユーザ操作信号に基づいて、メモリ９に保存されている補正データの中から右利きまたは左利きに対応する補正データを選択する。そして、手振れ補正処理部８は、角加速度センサ（縦方向）６および角加速度センサ（横方向）７から受けた振れ信号に基づいて、選択した補正データの中から角加速度センサが検出した振れに対応する補正データを取得し、手振れ補正用レンズ２を駆動する。
【００２０】
たとえば、手振れ補正処理部８は、角加速度センサ（縦方向）６および角加速度センサ（横方向）７で検出された撮像装置５０の振れを打ち消す方向、すなわち、撮像装置５０の振れと同じ方向に、手振れ補正用レンズ２を駆動する。
【００２１】
表示部１２は、たとえばＬＣＤ（Liquid Crystal Display）パネルであり、撮像装置５０の背面、すなわち撮像レンズ１と反対側の面に配置され、複数の使用条件を表示する。
【００２２】
検出部１３は、撮像装置５０の現在の使用条件を検出する。より詳細には、検出部１３は、表示部１２によって表示された右利きの使用条件および左利きの使用条件の中からユーザが選択した使用条件を検出し、検出した使用条件を表わすユーザ操作信号を手振れ補正処理部８へ出力する。
【００２３】
図２は、撮像装置５０の背面の外観図である。
同図を参照して、撮像装置５０の背面に表示部１２および検出部１３が配置されている。表示部１２に使用条件設定画面が表示される。検出部１３における３個のボタンのうちの２個のボタンは、表示部１２に表示される使用条件設定、すなわち右利き設定および左利き設定に対応しており、ユーザは、これらのボタンを押下することにより利き手の設定を行なう。
【００２４】
［動作］
次に、被写体の撮影時の撮像装置５０における各ブロックの動作について説明する。
【００２５】
ユーザが図示しないシャッターボタンを押下すると、撮影制御部５は、シャッター３を開いて撮像素子４に露光する、すなわち、撮像素子４に撮像レンズ１からの光を照射する。
【００２６】
シャッター３が開いている間、手振れ補正処理部８は、角加速度センサ（縦方向）６および角加速度センサ（横方向）７から受けた振れ信号に基づいて、前述のように手振れ補正用レンズ２を駆動して手振れ補正を行なう。この手振れ補正により、撮像素子４に結像される被写体の像が変動することを防ぐ。
【００２７】
シャッター３が開いてから、撮像装置５０に設定されている露光時間が経過すると、撮影制御部５はシャッター３を閉じる。そして、撮影制御部５は、撮像素子４から受けた電気信号から画像データを生成し、メモリ１０に保存する。
【００２８】
次に、メモリ９に保存する補正データの作成方法について説明する。
右利きおよび左利きの複数の被試験者（たとえば１００人ずつ）が、撮像装置５０を使用して撮影を行ない、撮影した画像データ、および露光中に角加速度センサ（縦方向）６および角加速度センサ（横方向）７から出力される振れ信号をＩ／Ｆ部１１経由でＰＣに取り込む。そして、これらの画像データおよび振れ信号を解析し、撮像装置５０の振れ方を複数のパターンに分類する。そして、角加速度センサ（縦方向）６および角加速度センサ（横方向）７から出力される振れ信号と、振れ信号に対応する補正データとで構成される補正用テーブルを生成する。ここで、補正用テーブルは、分類された複数の振れ方のパターンを平均的に補正できるようなものであってもよいし、パターンの頻度によって重み付けしたものであってもよい。また、補正用テーブルは右利きの被試験者が撮影した場合、および左利きの被試験者が撮影した場合でそれぞれ生成する。そして、生成した補正テーブルをＩ／Ｆ部１１経由でメモリ９に保存する。
【００２９】
ところで、特許文献１記載の撮像装置では、撮像装置の使用条件に応じて適切に手振れ補正を行なうことができないという問題点があった。しかしながら、本発明の実施の形態に係る撮像装置では、メモリ９は、右利きの撮影者が撮影した場合および左利きの撮影者が撮影した場合における撮像装置５０の振れの大きさおよび方向を表わす補正データを記憶する。そして、手振れ補正処理部８は、検出部１３からのユーザ操作信号に基づいて、メモリ９に保存されている補正データの中から右利きまたは左利きに対応する補正データを選択し、選択した補正データに基づいて手振れ補正用レンズ２を駆動することにより撮像装置５０の振れの補正を行なう。
【００３０】
したがって、本発明の実施の形態に係る撮像装置は、撮像装置の使用条件に応じて適切に手振れ補正を行なうことができる。
【００３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３２】
【図１】本発明の実施の形態に係る撮像装置の構成を示す機能ブロック図である。
【図２】撮像装置５０の背面の外観図である。
【符号の説明】
【００３３】
１  撮像レンズ、２  手振れ補正用レンズ、３  シャッター、４  撮像素子、５  撮像制御部、６〜７  角加速度センサ、８  手振れ補正処理部、９〜１０  メモリ（記憶部）、１１  インタフェース（Ｉ／Ｆ）部、１２  表示部、１３  検出部、２０  撮像部、５０  撮像装置。
【図１】
2007043561.tif 000003
【図２】
2007043561.tif 000004